【手続補正書】
【提出日】平成21年6月12日(2009.6.12)
【手続補正１】
【補正対象書類名】特許請求の範囲
【補正対象項目名】全文
【補正方法】変更
【補正の内容】
【特許請求の範囲】
【請求項１】
プリントサーバ機能を有する通信制御装置が接続された画像形成装置と、前記画像形成装置に関するWeb情報を取得し、取得した前記Web情報をWebブラウザに表示する情報処理装置とがデータ伝送路で接続されたWebシステムであって、
前記情報処理装置は、
前記画像形成装置に関する前記Web情報の取得を、前記情報処理装置の前記Webブラウザで表示される表示言語である言語識別情報を示して前記通信制御装置へ要求するWeb情報要求手段を有し、
前記通信制御装置は、
前記画像形成装置に関する情報を表示する情報表示プログラムであるHTMLファイルと、前記画像形成装置に関する情報を表示する表示言語に関するデータである言語ファイルとを前記Web情報として格納するWeb情報格納手段と、
前記Web情報要求手段により要求された、前記画像形成装置に関する前記Web情報の取得要求に応じて、前記Web情報格納手段から前記言語識別情報に基づいて取得した前記Web情報に対して所定の加工を行い、前記情報処理装置へ応答するWeb情報応答手段とを有することを特徴とするWebシステム。
【請求項２】
画像形成装置に関するWeb情報を、Webブラウザを有する情報処理装置に送信する、プリントサーバ機能を有する、前記画像形成装置に接続された通信制御装置であって、
画像形成装置に関する情報を表示する情報表示プログラムであるHTMLファイルと画像形成装置に関する情報を表示する表示言語に関するデータである言語ファイルとを前記Web情報として格納する記憶装置を有し、
前記情報処理装置から送信された、前記情報処理装置の前記Webブラウザで表示される表示言語である言語識別情報を受信し、前記Web情報の取得要求を受信するWeb情報受信手段と、
前記Web情報受信手段により受信した前記Web情報の取得要求に応じて、前記記憶装置から該当する前記Web情報を取得し、取得した前記Web情報を基に、前記取得要求に対して応答するWeb情報を生成するWeb情報生成手段と、
前記Web情報生成手段により生成されたWeb情報を、前記情報処理装置へ送信するWeb情報送信手段とを有することを特徴とする通信制御装置。
【請求項３】
前記Web情報生成手段は、
前記Web情報受信手段により受信した前記言語識別情報を含む前記Web情報の取得要求であるURLの文字列を解析し、解析結果に基づいて、前記HTMLファイル又は前記言語ファイルのどちらが取得要求された前記Web情報であるかを判定する要求判定手段を有することを特徴とする請求項２に記載の通信制御装置。
【請求項４】
前記Web情報生成手段は、
前記Web情報受信手段により受信した前記言語識別情報を含む前記Web情報の取得要求であるURLの文字列を解析し、取得した前記言語識別情報に基づいて、該通信制御装置が有するプリントサーバ機能が対応している言語か否かを判定する送信言語判定手段と、
前記要求判定手段により判定した、前記HTMLファイル又は前記言語ファイルに対して、前記送信言語判定手段による判定結果に基づいて、所定の加工を行い、前記取得要求に応答する際に送信するWeb情報を生成する送信情報生成手段とを有することを特徴とする請求項３に記載の通信制御装置。
【請求項５】
前記送信情報生成手段は、
前記送信言語判定手段による判定結果が、該通信制御装置が有するプリントサーバ機能が対応している言語であった場合に、
前記HTMLファイル又は前記言語ファイルにおけるファイル名に、前記送信言語判定手段により取得した前記言語識別情報を挿入し、
一方、前記送信言語判定手段による判定結果が、該通信制御装置が有するプリントサーバ機能が対応している言語でなかった場合に、
前記HTMLファイル又は前記言語ファイルにおけるファイル名に、予め設定しておいたデフォルトの言語識別情報を挿入し、前記取得要求に応答する際に送信するWeb情報のファイル名を生成することを特徴とする請求項４に記載の通信制御装置。
【請求項６】
前記送信情報生成手段は、
前記送信言語判定手段により前記言語識別情報が取得できなかった場合に、
前記HTMLファイル又は前記言語ファイルにおけるファイル名に、予め設定しておいたデフォルトの言語識別情報を挿入し、前記取得要求に応答する際に送信するWeb情報のファイル名を生成することを特徴とする請求項４又は５に記載の通信制御装置。
【請求項７】
前記送信情報生成手段は、
前記要求判定手段により前記HTMLファイルと判定され、且つ、前記送信言語判定手段による判定結果が、該通信制御装置が有するプリントサーバ機能が対応している言語であった場合に、
選択された前記HTMLファイルのデータに、前記送信言語判定手段により取得した前記言語識別情報が示す表示言語に関するデータを付加し、
一方、前記要求判定手段により前記HTMLファイルと判定され、且つ、前記送信言語判定手段による判定結果が、該通信制御装置が有するプリントサーバ機能が対応している言語でなかった場合に、
選択された前記HTMLファイルのデータに、予め設定しておいたデフォルトの言語識別情報が示す表示言語に関するデータを付加することを特徴とする請求項４ないし６のいずれか一項に記載の通信制御装置。
【請求項８】
前記送信情報生成手段は、
前記要求判定手段により前記HTMLファイルと判定され、且つ、前記送信言語判定手段により前記言語識別情報が取得できなかった場合に、
選択された前記HTMLファイルのデータに、予め設定しておいたデフォルトの言語識別情報が示す表示言語に関するデータを付加することを特徴とする請求項４ないし７のいずれか一項に記載の通信制御装置。
【請求項９】
プリントサーバ機能を有し画像形成装置に接続された通信制御装置から取得した、前記画像形成装置に関するWeb情報を、Webブラウザに表示する情報処理装置であって、
前記画像形成装置に関する情報を表示する情報表示プログラムであるHTMLファイルと前記画像形成装置に関する情報を表示する表示言語に関するデータである言語ファイルとを含む前記Web情報の取得要求を受け付けるWeb情報取得要求受付手段と、
前記Web情報取得要求受付手段により受け付けた、前記Web情報の取得要求を、前記通信制御装置へ送信するWeb情報送信手段と、
前記通信制御装置から前記Web情報の取得要求に対する応答として送信された前記Web情報を受信するWeb情報受信手段と、
前記Web情報受信手段により受信した、前記言語ファイルを読み込むようにプログラミングされた前記HTMLファイルのプログラムを実行するWebプログラム実行手段と、
前記Webプログラム実行手段により実行された結果を、前記Webブラウザに表示するWeb情報表示手段とを有することを特徴とする情報処理装置。
【請求項１０】
前記Web情報取得要求受付手段は、
前記Webブラウザのアドレスバーに入力される、前記Web情報のファイル名と前記Webブラウザに表示する表示言語を示す言語識別情報を含むURLの文字列を受け付けることを特徴とする請求項９に記載の情報処理装置。
【請求項１１】
前記Webプログラム実行手段は、
前記Web情報受信手段により受信した前記HTMLファイル内に付加された表示言語に関するデータを解析し、解析結果に基づいて、該情報処理装置において表示可能な言語であるか否かを判定する表示言語判定手段と、
前記表示言語判定手段により表示可能な言語であると判定された場合に、
前記HTMLファイル内に付加された表示言語に関するデータの解析結果に基づいて、該当する前記言語ファイルの取得を、前記通信制御装置へ要求する言語情報取得手段とを有することを特徴とする請求項９又は１０に記載の情報処理装置。
【請求項１２】
前記言語情報取得手段は、
前記表示言語判定手段により表示可能な言語でないと判定された場合に、
前記言語ファイルにおけるファイル名に、予め設定しておいたデフォルトの言語識別情報を挿入し、デフォルトの言語ファイルの取得を要求することを特徴とする請求項１１に記載の情報処理装置。
【請求項１３】
画像形成装置に関するWeb情報を、Webブラウザを有する情報処理装置に送信する、プリントサーバ機能を有する、前記画像形成装置に接続された通信制御装置における通信制御方法であって、
画像形成装置に関する情報を表示する情報表示プログラムであるHTMLファイルと画像形成装置に関する情報を表示する表示言語に関するデータである言語ファイルとを前記Web情報として格納する記憶装置を有し、
前記情報処理装置から送信された、前記情報処理装置の前記Webブラウザで表示される表示言語である言語識別情報を受信し、画像形成装置に関する情報を表示する情報表示プログラムであるHTMLファイルと画像形成装置に関する情報を表示する表示言語に関するデータである言語ファイルとを含む前記Web情報の取得要求を受信するWeb情報受信手順と、
前記Web情報受信手段により受信した前記Web情報の取得要求に応じて、前記記憶装置から該当する前記Web情報を取得し、取得した前記Web情報を基に、前記取得要求に対して応答するWeb情報を生成するWeb情報生成手順と、
前記Web情報生成手段により生成されたWeb情報を、前記情報処理装置へ送信するWeb情報送信手順とを有することを特徴とする通信制御方法。
【請求項１４】
プリントサーバ機能を有し画像形成装置に接続された通信制御装置から取得した、前記画像形成装置に関するWeb情報を、Webブラウザに表示する情報処理装置における通信制御方法であって、
前記画像形成装置に関する情報を表示する情報表示プログラムであるHTMLファイルと前記画像形成装置に関する情報を表示する表示言語に関するデータである言語ファイルとを含む前記Web情報の取得要求を受け付けるWeb情報取得要求受付手順と、
前記Web情報取得要求受付手順により受け付けた、前記Web情報の取得要求を、前記通信制御装置へ送信するWeb情報送信手順と、
前記通信制御装置から前記Web情報の取得要求に対する応答として送信された前記Web情報を受信するWeb情報受信手順と、
前記Web情報受信手順により受信した、前記言語ファイルを読み込むようにプログラミングされた前記HTMLファイルのプログラムを実行するWebプログラム実行手順と、
前記Webプログラム実行手順により実行された結果を、前記Webブラウザに表示するWeb情報表示手順とを有することを特徴とする通信制御方法。
【請求項１５】
画像形成装置に関するWeb情報を、Webブラウザを有する情報処理装置に送信する、プリントサーバ機能を有する、前記画像形成装置に接続された通信制御装置における通信制御プログラムであって、
コンピュータを、
前記情報処理装置から送信された、前記情報処理装置の前記Webブラウザで表示される表示言語である言語識別情報を受信し、画像形成装置に関する情報を表示する情報表示プログラムであるHTMLファイルと画像形成装置に関する情報を表示する表示言語に関するデータである言語ファイルとを含む前記Web情報の取得要求を受信するWeb情報受信手段と、
前記Web情報受信手段により受信した前記Web情報の取得要求に応じて、前記Web情報を取得し、取得した前記Web情報を基に、前記取得要求に対して応答するWeb情報を生成するWeb情報生成手段と、
前記Web情報生成手段により生成されたWeb情報を、前記情報処理装置へ送信するWeb情報送信手段として機能させる通信制御プログラム。
【請求項１６】
プリントサーバ機能を有し画像形成装置に接続された通信制御装置から取得した、前記画像形成装置に関するWeb情報を、Webブラウザに表示する情報処理装置における通信制御プログラムであって、
コンピュータを、
前記画像形成装置に関する情報を表示する情報表示プログラムであるHTMLファイルと前記画像形成装置に関する情報を表示する表示言語に関するデータである言語ファイルとを含む前記Web情報の取得要求を受け付けるWeb情報取得要求受付手段と、
前記Web情報取得要求受付手段により受け付けた、前記Web情報の取得要求を、前記通信制御装置へ送信するWeb情報送信手段と、
前記通信制御装置から前記Web情報の取得要求に対する応答として送信された前記Web情報を受信するWeb情報受信手段と、
前記Web情報受信手段により受信した、前記言語ファイルを読み込むようにプログラミングされた前記HTMLファイルのプログラムを実行するWebプログラム実行手段と、
前記Webプログラム実行手段により実行された結果を、前記Webブラウザに表示するWeb情報表示手段として機能させる通信制御プログラム。